(57)【特許請求の範囲】
【請求項１】
円弧状に形成された固定板１２と、
該固定板の上方位置において上端が回動自在に軸支された連結杆２と、
該連結杆の下端に回動自在に軸支された椅子本体Ａのフレーム３と、
該フレームにスライド可能に取付けられた椅子本体の座部４と、
前記フレームの後方に一端が取付けられ上端に前記椅子本体の上背凭れ５１が取付けられた副フレーム３１と、
該副フレームの前記上背凭れの下部近くに回動自在に取付けられた椅子本体の下背凭れ５２と、
前記座部に取付けられ後端部分にガイド孔３６が形成され、かつ、該ガイド孔に対してスライドする前記下背凭れの下部側面から突出したスライドピン４４がガイドされるスライド杆４３と、
前記フレームに取付けられ前記座部を前記フレームに対して前後動させるスライド機構３５と、
前記フレームと前記固定板との間に取付けられ前記フレームを前後動させるシリンダ６と、
より構成し、前記シリンダによって椅子本体を揺動運動させると共に、前記スライド機構によって座部を前後動させ、かつ、該座部の前後動に伴って前記スライド杆が前後動することで着座者の背中に当接するように前記下背凭れを斜め上方に移動するようにしたことを特徴とするリラクゼーション椅子。
【請求項２】
前記スライド機構は、前記フレームの両側に取付けられたガイドレールと、前記フレームの略中央に取付けられたモータと該モータによって回転するギアボックスと、前記座部の裏面側に回転自在に軸支され中央部が前記ギアボックスに螺合されたネジとから構成され、前記モータが回転することでギアボックスを介して前記ネジが前後方向に移動して座部をフレームに対して前後動することを特徴とする請求項１記載のリラクゼーション椅子。
【請求項３】
前記フレームの前後位置にリミットスイッチを取付け、前記座部の裏面に該座部の前後動に伴って前記リミットスイッチをオン・オフする接触片を取付け、前記座部の前後動の所定位置において前記接触片が前記リミットスイッチを操作する前記モータへの通電を遮断するようにしたことを特徴とする請求項２記載のリラクゼーション椅子。
【発明の詳細な説明】
【０００１】
【発明の属する技術分野】
本発明は、理美容室や安楽な状態を求める施術室等に設置されてリラクゼーションに好適な姿勢を取ることができるように、上半身の角度を変えることが可能なリラクゼーション椅子に関する。
【０００２】
【従来の技術】
従来からこのようなリラクゼーション椅子は前述のように上半身を最もリラクゼーションに適する角度に、自由に傾けてその角度を維持するような機構のみが採用されているため、これを理美容室などにも転用すると次のような問題点が発生する。
【０００３】
【発明が解決しようとする課題】
すなわち、上半身の角度を変える機構だけが用いられて、座高を変える手段が用いられていないため、髪のシャンプーなどに好適な頭の高さを基準として設計すると、シェービングやフェイシャルエステの場合などには頭の位置が施術者にとって高くなりすぎ、作業がやりにくといった問題があった。
【０００４】
これに対応すべく、従来の理美容室で用いられている椅子の昇降機構を設けたり、前垂れと称される脛受け部の前端上昇機構など理美容用の椅子の機構をリラクゼーション椅子にも付加すると、機構が複雑になりすぎ、意匠的に美観を損なうばかりでなく、大型化しすぎて椅子の設置面積が増加してしまうと共に構成が複雑化して価格も高くなりすぎる等の問題もあった。
【０００５】
本発明は前記した問題点を解決せんとするもので、その目的とするところは、髪のセットのための機能例えば椅子本体の昇降機能を省略化し、被施術者が寝た姿勢で施術を受ける寝姿勢での施術を効率よく行うための背凭れの角度を座部のスライドと連動して可能とし、かつ、背凭れの厚さに限定を受けないために背凭れを厚くしてマッサジャーなどの快適装置の装備をも可能としたリラクゼーション椅子を提供せんとするにある。
【０００６】
【課題を解決するための手段】
本発明のリラクゼーション椅子は前記した目的を達成せんとするもので、請求項１の手段は、円弧状に形成された固定台１２と、該固定板の上方位置において上端が回動自在に軸支された連結杆２と、該連結杆の下端に回動自在に軸支された椅子本体Ａのフレーム３と、該フレームにスライド可能に取付けられた椅子本体の座部４と、前記フレームの後方に一端が取付けられ上端に前記椅子本体の上背凭れ５１が取付けられた副フレーム３１と、該副フレームの前記上背凭れの下部近くに回動自在に取付けられた椅子本体の下背凭れ５２と、前記座部に取付けられ後端部分にガイド孔３６が形成され、かつ、該ガイド孔に対してスライドする前記下背凭れの下部側面から突出したスライドピン４４がガイドされるスライド杆４３と、前記フレームに取付けられ前記座部を前記フレームに対して前後動させるスライド機構３５と、前記フレームと前記固定板との間に取付けられ前記フレームを前後動させるシリンダ６とより構成し、前記シリンダによって椅子本体を揺動運動させると共に、前記スライド機構によって座部を前後動させ、かつ、該座部の前後動に伴って前記スライド杆が前後動することで着座者の背中に当接するように前記下背凭れを斜め上方に移動するようにしたことを特徴とする。
【０００７】
請求項２の手段は、前記した請求項１の手段において、前記スライド機構は、前記フレームの両側に取付けられたガイドレールと、前記フレームの略中央に取付けられたモータと該モータによって回転するギアボックスと、前記座部の裏面側に回転自在に軸支され中央部が前記ギアボックスに螺合されたネジとから構成され、前記モータが回転することでギアボックスを介して前記ネジが前後方向に移動して座部をフレームに対して前後動することを特徴とする。
【０００８】
請求項３の手段は、前記した請求項２の手段において、前記フレームの前後位置にリミットスイッチを取付け、前記座部の裏面に該座部の前後動に伴って前記リミットスイッチをオン・オフする接触片を取付け、前記座部の前後動の所定位置において前記接触片が前記リミットスイッチを操作する前記モータへの通電を遮断するようにしたことを特徴とする。
【０００９】
【発明の実施の形態】
次に本発明の実施の形態を、２つの状態に移行した場合を表した図１について以下に説明する。
この実施の形態においては、椅子本体Ａの左右両側に位置する設置台１は、左右それぞれがＶ字型の支枠１１の上部で円弧に湾曲された固定板１２と補強のための枠板１３で固定されている。
【００１０】
そして、固定板１２の後下端と支枠１１の下端が床面に接するように形成すると共に、左右の支枠１１をパイプ１４で連結固定し、かつ、左右の枠板１３の後下端部に近い箇所を連結枠１５で連結固定し、設置台１の左右両側を一体化して、床面に安定した状態に設置できるようになっている。
【００１１】
この設置台１の左右の固定板１２の上面の上側には適当な距離を置いて肘受け１６が取付けられ、また、固定板１２には支枠１１のＶ字型の中間位置に軸受け板２１を固着し、この軸受け板２１で連結杆２の上端付近を支軸２２で回動可能に支持している。
【００１２】
前記連結杆２の下端は椅子本体Ａのフレーム３に軸支されていて、支軸２２で連結杆２が揺動することでフレーム３は前後にシーソー状に揺動できるもので、フレーム３には支持杆４１で脛受け体４２が取付けられている椅子本体Ａの座部４が前後にスライド可能に設けられている。
【００１３】
フレーム３には後上方に伸びている副フレーム３１が固着されると共に、副フレーム３１からさらに後上方に向かって固定されている支持フレーム３２には、背凭れ５を上下に分割した背凭れの内の上背凭れ５１が固定されるもので、図６に表したように上背凭れ５１に従来から公知の回転可能な枕Ｂを上部から差し込むことができるようになっている。
【００１４】
副フレーム３１には、上背凭れ５１の下側において回動フレーム３３が回動可能に軸３４で軸受けされており、回動フレーム３３には背凭れ５を分割した下背凭れ５２が取付けられており、また、座部４に固定されているスライド杆４３の後上方に伸びた箇所に設けられたスライドピン４４をガイドするガイド孔３６が回動フレーム３３に設けられている。
【００１５】
次に、フレーム３に対して座部４をスライド自在にするためのフレーム３内に組み込まれているスライド機構３５を図２〜図４と共に説明する。
３５ａはローラ３５ｂを介して座部４を前後動可能に案内するスライドレールにして、フレーム３の長手方向の両縁に取付けられている。また、この２本のスライドレール３５ａが取付けられるフレーム３の中央部分には、モータ３５ｃによって回転するギヤボックス３５ｄが取付けられ、また、座部４の中央部分には取付金具３５ｅを介して座部４の後方へと伸びるネジ３５ｆが取付けられている。このような構成を採用することにより、モータ３５ｃの回転によってギヤボックス３５ｄがネジ３５ｆを前後動させ、座部４をスライドレール３５ａに沿って前後動させることができる。
【００１６】
また、前記ギヤボックス３５ｄの両端にはリミットスイッチ３５ｇが取付けられると共に、ローラ３５ｂを取付ける取付け金具３５ｈの片面には座部４が前後動した際にリミットスイッチ３５ｇをオン・オフするための接触片３５ｉが取付けられている。
【００１７】
このため、座部４の前後動の所定位置で接触片３５ｉがリミットスイッチ３５ｇに当接することになる。これによって、図示しないフットスイッチ等をオンにしていた状態でもモータ３５ｃへの電源の供給が断たれ、ギヤボックス３５ｄからネジ３５ｆが抜けてしまうことや、ギヤボックス３５ｄやネジ３５ｆを破損してしまうことを防止することができる。
【００１８】
６はフレーム３の前側と連結枠１５との距離を伸縮動作させることで角度を変えるチルト用のギャモータや油圧シリンダ６（以下、単にシリンダという）にして、該シリンダ６を伸縮することでフレーム３が前後へ移動して、フレーム３、および、座部４が支軸２２を中心として回動されるので座部４および背凭れ５の傾斜角度が変えられることとなる。
【００１９】
この実施の形態においては、シリンダ６への油圧の供給を行うことにより、フレーム３は前方に押し出されて連結杆２が時計方向に回動されるので、座部４および背凭れ５は図６のように傾斜するようになり、また、シリンダ６内の油を抜くことにより、フレーム３は後方に引き込まれ連結杆２が反時計方向に回動されるので、座部４および背凭れ５は図７のように起立するようになる。
【００２０】
また、各図の状態において、被施術者が着座した時点で施術者は図示しない、例えば、フットスイッチを操作して座面スライド機構３５のモータ３５ｃを回転させる。これにより、座部４がスライドレール３５ａに沿ってフレーム３の後方に移動して、被施術者の首部はシャンプーボールの凹部に無理のない状態で支持されることになる（図２参照）。
【００２１】
また、この状態においてシャンプーボールの高さは変化していないので、施術者にも無理な姿勢を強いることなくシャンプーが行える。さらに、フットスイッチをオフにすることにより座面スライド機構をロックすることができ、また、フットスイッチのオン・オフにより微調整も可能である。
【００２２】
なお、施術者がフットスイッチを操作し過ぎた場合であっても、ローラ３５ｂに取付けた接触片３５ｉが、ギヤボックス２ｃ３に取付けリミットスイッチ３５ｇに当接するため、モータ３５ｃへの電源の供給が断たれ、モータ３５ｃを回転しすぎてギヤボックス３５ｄやネジ３５ｅを破損することがない。
【００２３】
一方、身長の高い被施術者が着座して、被施術者の首部の位置とシャンプーボールの凹部との高さが一致しない場合には、被施術者に対して無理な姿勢を強いることとなる。そこで、施術者はフットスイッチを操作して座面スライド機構３５のモータ３５ｃを逆回転させる。
【００２４】
これにより、座部４がスライドレール３５ａに沿ってフレーム３が前方に移動して、被施術者の首部とシャンプーボールの凹部との高さが一致し、首部はシャンプーボールの凹部に無理のない状態で支持されていることになる。また、上記と同様に、シャンプーボールの高さは変化しないので施術者も楽にシャンプーが行える。さらに、フットスイッチをオフにすることにより座面スライド機構をロックすることができ、また、フットスイッチのオン・オフにより微調整も可能である。
【００２５】
なお、施術者がフットスイッチを操作し過ぎた場合であっても、ローラ３５ｂに取付けた接触片３５ｉが、ギヤボックス３５ｄに取付けリミットスイッチ３５ｇに当接するため、モータ３５ｃへの電源の供給が断たれ、ネジ３５ｆがギヤボックス３５ｄから抜けてしまうことを防止することができる。
【００２６】
また、この際、被施術者の腰の部分が下部背凭れ５７から浮いた状態となるが、下部背凭れ５７によって、副フレーム３１の先端に固定された軸３４が回動フレーム３３のガイド孔３６を移動した後に、該回動フレーム３３を前方に引っ張ることとなるので、該回動フレーム３３に取付けられている下部背凭れ５２は斜め上方に移動して被施術者の腰部分を支える状態となる。従って、被施術者は楽な姿勢でシャンプーを受けることができる。
【００２７】
このような構成により、座部４や背凭れ５のクッションを良くすれば腰掛けた場合の安楽な座り心地が得られ、また、座部４をスライドさせて下背凭れ５２の下端の前後位置を調節し、背凭れ５全体としての背中を支承する形状を各自の好みに応じた状態とすることができるので、腰掛けた場合に各自の好みに応じた半分仰臥したリラックスな姿勢とするこができる。
【００２８】
そして、シリンダ６を縮小状態とすれば、図７に示したようにフレーム３を介して座部４の前側が引かれるため、座部４を前側に下降させた傾斜状態とすることができ、従って、座部４への座上が行いやすくすることができる。
【００２９】
また、本実施の形態のリラクゼーション椅子を理美容椅子として用いるために、前記のリラックス姿勢を維持したまま、バックシャンプーなどの理美容において必要とする被施術者の姿勢を変えることなく、リラックスした姿勢のままで、頭の高さを変え得ることが望ましい。
【００３０】
そこで、本実施の形態においては座部４に腰掛けて、背凭れ５に背中を預けた場合に、支軸２２を中心として座部４と背凭れ５の床面に対する角度を変えることなく回転させることで、各自が最もリラックスできるの姿勢を保ったまま頭の高さを変えられるものである。
【００３１】
そして、座部４に座った場合において、支軸２２の位置が座部よりも高い位置で、かつ、前後関係では腰骨の位置とすることができ、従って、シリンダ６の伸縮作用でフレーム３の回動による傾斜角度が変わった場合でも下腹前面を回転中心とすることができる。
【００３２】
そのために、傾斜角度が変わることによる不快感がなくなると共に、座部４や背凭れ５と人体のずれがなくなり、傾斜角度の変更に対する抵抗感を無くすことができ、図４に示すリアシャンプー状態、図６に示すシェービングやフェイシャルエステ状態とすることができる。なお、図中のＣは前垂れである。
【００３３】
そして、前述のように着座を容易にするための図７の状態への移行も可能で、この状態の場合には頭髪へのブローを行うのにも適した姿勢にもすることができるものであるが、この際に座部４を後方にスライドさせることが望ましく、そのために、このスライドを自動的に行う従来から公知の装置を用いるのが良い。
【００３４】
さらに、背凭れ５としては前述の他には制限がないのでその厚さを大きくすることができるので、マッサジャー等の機構を付加することもでき、人体の姿勢を前後に傾けるための支点を人体の中心である腰骨の付近とすることができるので、設置床面積が減少できる。
【００３５】
【発明の効果】
本発明は前記したように、従来から音楽を聴いたり、あるいは、休養するためのリラクゼーション椅子を理美容椅子として転用可能とするもので、被施術者がリラクゼーション椅子に休んでいる状態と同じ状態で理美容を受けることができる。
【００３６】
従って、被施術者に対して快適な理美容が可能となるばかりでなく、従来の理美容椅子に比して座部の昇降機構、座部に対する前垂れの先端の昇降回転機構を省略することが可能となり、しかも本発明に基づく機構も簡略化されているので、コストの引下げができ、開店時や椅子交換での設備費用を低減できる。
【００３７】
しかも、施術時の枕の設置と取り外しも可能で、この場合も枕の位置を伸縮させる機構も不要であり、髪のセット作業を他の椅子で行うようにすれば、作業者もセット作業が容易になると共に、その間を除いて被施術者はリラックスできる。
【００３８】
また、椅子本体を被施術者の座高に応じて前後動するのに、モータを使用して行うようにしたことにより、モータの回転量を制御することで、自由に被施術者の首をシャンプーボールの凹部に合わせることができるので、被施術者に無理な姿勢を保たせることがないと共に施術者の洗髪作業も容易に行うことができる等の効果を有するものである。
【図面の簡単な説明】
【図１】  本発明の実施の形態を、座部をスライドさせた２つの状態で表した側面図である。
【図２】  スライド機構を示す側面図である。
【図３】  座部が左方向に移動した状態の側面図である。
【図４】  スライド機構の正面図である。
【図５】  同上のリアシャンプー状態の側面図である。
【図６】  同上のシェービングとフェイシャルエステ状態の側面図である。
【図７】  同上の腰掛け時とブロー作業状態の側面図である。
【符号の説明】
Ａ        椅子本体
１        設置台
２        連結杆
２２      支軸
３        フレーム
３５ｃ    モータ
３５ｄ    ギヤボックス
３５ｆ    ネジ
４        座部
５        背凭れ
５２      下背凭れ
６        シリンダ
【図１】
0003926577.tif 000002
【図２】
0003926577.tif 000003
【図３】
0003926577.tif 000004
【図４】
0003926577.tif 000005
【図５】
0003926577.tif 000006
【図６】
0003926577.tif 000007
【図７】
0003926577.tif 000008